(57)【要約】      （修正有）【課題】要介護者が自力でベッドの利用が容易にできる、アシストリクライニングベッドの構造を提供する。【解決手段】要介護者がベッドの短辺面よりを利用し、且つ膝より足先間の部位が垂直方向へ折れ下がることで、要介護者は身体を変位することなく寝ている状態よりベッドに腰を掛けている状態、又、腰を掛けている状態より寝ている状態へと変わることを可能とするアシストリクライニングベッド２０の構造とした。又、ベッドの上面にセットするリール２９による紐体２７の巻き込みや圧力ポンプによるパイプや紐体の伸縮により、ベッドの短辺面よりの利用が可能となり、既存ベッドへの装着も可能な薄型リクライニングベッド構造とした。【選択図】図２
2013215536.tif 000002
【特許請求の範囲】
【請求項１】
ベッドの短辺面より利用し、膝より足先間の部位が垂直方向へ折れ下がることで、要介護者は身体を変位することなく寝ている状態よりベッドに腰を掛けている状態、又、腰を掛けている状態より寝ている状態へと変わることを可能とするアシストリクライニングベッドの構造。
【請求項２】
ベッドの上面にセットするリールによる紐体の巻き込み、又は、モーターや圧力ポンプによるパイプや紐体の伸縮により、膝より足先間の部位が垂直方向へ折れ下がることが可能であり、既存ベッドへの装着も可能な薄型リクライニングベッドの構造手法。
【請求項３】
膝より足先間の部位が垂直方向へ折れ下がるベッドの先端部のスライド伸縮構造。
【発明の詳細な説明】
【技術分野】
【０００１】  本発明は、主に介護やリハビリを必要とする人の為である住宅や老人ホーム、病院等施設のベッドに用いられ、要介護者が介護者の手を煩わせることなく且つ身体を変位することなく寝ている状態よりベッドに腰を掛けている状態、又、腰を掛けている状態より寝ている状態へと変わることや、既存ベッドへ装着が可能である構造手法に関する。
【背景技術】
【０００２】  図１の従来例電動リクライニングベッド１０は、ベッド台の大きさの範囲内にリクライニング機能付ベッド装着の構造とした。又、リクライニングベッドの下部であるベッド台１７に、モーターや圧力ポンプ４５を内蔵し、モーターや圧力ポンプによる伸縮により背面部１１を変位後背面部１４へ、又、膝裏部１２を変位後膝裏部１５へ、及び、足先部１３を変位後足先部１６へと、ベッド台の大きさの範囲内で変位させる構造とした。（例えば、非特許文献１参照。）
【非特許文献】
【０００３】
【非特許文献１】  「  ＡＬＬ  ＬＩＦＥタログＶＯＬ―２５  」Ｇｕｔｔ  Ｒｅｈａｂｉｌｉｔａｔｉｏｎ
【発明の概要】
【発明が解決しようとする課題】
【０００４】  従来例の介護ベッドは、単にフラット使用のみではなく電動によるリクライニング機能により上半身を起こす機能や、膝部を持ち上げる機能が付加されていた。従来の介護ベッド利用に於いては、身体の不自由な要介護者がベッドの上にて体位をかえることが必要であり、自力でのベッドの利用は難しい大きな問題があった。【０００５】  本発明は、このような不具合を解消する為になされたものであり、要介護者が自力にてベッドの短辺面より利用し、且つ膝より足先間の部位が垂直方向へ折れ下がることで、要介護者は身体を変位することなく寝ている状態よりベッドに腰を掛けている状態、又、腰を掛けている状態より寝ている状態へと変わることを可能とするアシストリクライニングベッドの構造手法の提供を目的とするものである。
【課題を解決するための手段】
【０００６】  上記不具合を解決するために、本発明は次のような構成としている。
請求項１に記載したアシストリクライニングベッドの構造手法は、通常においてベッドの使用は長手方向よりの利用となるが、短辺面足先部よりの利用としている。ベッド台の大きさの範囲外、又は、範囲内に於いて膝より足先間の部位が垂直方向へ折れ下がることで、要介護者は身体を変位することなく寝ている状態よりベッドに腰を掛けている状態、又、腰を掛けている状態より寝ている状態へと変わることを可能とするアシストリクライニングベッドの構造としている。【０００７】  請求項２に記載したベッドの構造は、ベッドの上面にセットするリールによる紐体の巻き込み、又は、モーターや圧力ポンプによるパイプや紐体の伸縮により、膝より足先間の部位が垂直方向へ折れ下がることが可能であり、既存ベッドへの装着も可能となる薄型リクライニングベッドの構造とした。【０００８】  請求項３に記載した膝より足先間の部位が垂直方向へ折れ下がるベッドの先端部スライド伸縮構造は自重システム、又は、電動システムの構造としたことを特徴とする。
【発明の効果】
【０００９】  以上説明したように本発明の構造システムにより、要介護者は身体を変位することなく寝ている状態よりベッドに腰を掛けている状態、又、腰を掛けている状態より寝ている状態へと変わることが可能となる効果を発揮する事ができた。
【図面の簡単な説明】
【００１０】
【図１】図１は従来例の「  ＡＬＬ  ＬＩＦＥタログＶＯＬ―２５  」Ｇｕｔｔ  Ｒｅｈａｂｉｌｉｔａｔｉｏｎ電動リクライニングベッドの斜視図
【図２】図２は本発明のアシストリクライニングベッドの斜視図
【図３】図３は本発明の薄型リクライニングベッドの斜視図
【発明を実施するための形態】
【００１１】  紐体を巻き込むリール、又、パイプや紐体の伸縮可能なモーターや圧力ポンプをベッドの上面又はベッド台内部に配設した。膝より足先間の部位が垂直方向へ折れ下がることが可能となり、要介護者は身体を変位することなく寝ている状態よりベッドに腰を掛けている状態、又、腰を掛けている状態より寝ている状態へと変わることが可能となった。特にベッド上面にリール、モーター、圧力ポンプを配設したことでリクライニングベッドは薄型化され、既存ベッドへの装着も可能となった。
【００１２】  以下、本発明の実施の形態を図２、図３に基づいて説明する。
【００１３】  本発明の実施例について、図面を参照して説明する。図２は本発明のアシストリクライニングベッドの斜視図、図３は本発明の薄型リクライニングベッドの斜視図。
【００１４】図２で示すように、本発明のアシストリクライニングベッド２０は、ベッド台の大きさの範囲内外にリクライニング機能付ベッド装着の構造とした。又、リクライニングベッドの下部であるベッド台２６に、モーターや圧力ポンプ４５を内蔵し、モーターや圧力ポンプによる伸縮により背面部２１を変位後背面部２４へ、膝裏部２２を基点に足先部２３を変位後足先部２５へと、ベッド台の大きさの範囲内外で変位させる構造とした。また、リクライニングベッド上面にリール２９、又は、モーターや圧力ポンプ４５を内蔵した肘掛け４０を設け紐体２７、紐体２８を操作することで膝より足先間の部位が垂直方向へ折れ下がることが可能となり、要介護者は身体を変位することなく寝ている状態よりベッドに腰を掛けている状態、又、腰を掛けている状態より寝ている状態へと変わることが可能となる効果を発揮する事ができた。
【００１５】  図３の本発明薄型リクライニングベッド３０はリクライニングベッド上面にリール３９、又は、モーターや圧力ポンプ４５を内蔵した肘掛け４１を設け、紐体３７、紐体３８を操作することで膝より足先間の部位が垂直方向へ折れ下がることが可能となり、背面部３１を変位後背面部３４へ、膝裏部３２を基点に足先部３３を変位後足先部３５へと変位可能な構造とした。要介護者は身体を変位することなく寝ている状態よりベッドに腰を掛けている状態、又、腰を掛けている状態より寝ている状態へと変わることが可能となる効果を発揮する事ができた。又、既存ベッドへの装着可能な薄型リクライニングベッド構造を可能とした。
【００１６】  図３の本発明薄型リクライニングベッド３０の足位置先端部は、ベッドとして使用時においては足先部３３となるが、膝より足先間の部位が垂直方向へ折れ下がった状況下では収縮変位後足先部３６の位置へと自重によりスライドする伸縮構造とする為、動力や人手は使わず自動で伸縮可能となる効果を発揮する事ができた。
【符号の説明】
【００１７】１０      従来例電動リクライニングベッド
１１      背面部
１２      膝裏部
１３      足先部
１４      変位後背面部
１５      変位後膝裏部
１６      変位後足先部
１７      ベッド台
４５      圧力ポンプ
２０      本発明アシストリクライニングベッド
２１      背面部
２２      膝裏部
２３      足先部
２４      変位後背面部
２５      変位後足先部
２６      ベッド台
２７      紐体
２８      紐体
２９      リール
４０      肘掛け
３０      本発明薄型リクライニングベッド
３１      背面部
３２      膝裏部
３３      足先部
３４      変位後背面部
３５      変位後足先部
３６      収縮変位後足先部
３７      紐体
３８      紐体
３９      リール
４１      肘掛け
【図１】
2013215536.tif 000003
【図２】
2013215536.tif 000004
【図３】
2013215536.tif 000005